(57)【要約】【課題】  送信部を起動することなく、ＨＤＭＩ接続を用いてＨＤＭＩ規格及び他の通信インターフェース規格の信号を切替えて受信することができる通信インターフェース回路及びその制御方法を提供すること。【解決手段】  １つの電源線と１つ以上の映像伝送線と１つ以上の通信線からなり、通常入力側に電源出力を持たない通信インターフェースに関し、受信部は、電源線の電圧検出部と、電源線に対し出力を切替えて給電可能な給電部と、送信部との機器間通信により通信インターフェース規格と給電要求を検出する接続識別部と、通信線の接続を切替える信号切替部と、ユーザ回路書換え可能なＦＰＧＡ（Ｆｉｅｌｄ−Ｐｒｏｇｒａｍｍａｂｌｅ  Ｇａｔｅ  Ａｒｒａｙ）とを有する。【選択図】図２
2020106876.tif 000002
【特許請求の範囲】
【請求項１】
１つの電源線と１つ以上の映像伝送線と１つ以上の通信線からなり、
通常入力側に電源出力を持たない通信インターフェースに関し、
受信部は、電源線の電圧検出部と、
電源線に対し出力を切替えて給電可能であり、送信部より電源線に給電がない場合、低電圧給電を行う給電部と、
送信部との機器間通信により通信インターフェース規格と給電要求を検出する接続識別部と、
通信線の接続を切替える信号切替部と、
ユーザ回路書換え可能なＦＰＧＡ（Ｆｉｅｌｄ−Ｐｒｏｇｒａｍｍａｂｌｅ  Ｇａｔｅ  Ａｒｒａｙ）と、
を有し、
電源線が所定の電圧でない場合、送信部と機器間通信を行ない通信インターフェース規格と給電要求を検出し、要求に応じて給電部の出力を切替え、
通信インターフェース規格に合わせ、ＦＰＧＡのリコンフィグレーションを行い、所定のインターフェース通信が可能な回路に変更することを特徴とする通信インターフェース回路。
【請求項２】
通常入力側に電源出力を持たない通信インターフェースがＨＤＭＩであることを特徴とする請求項１に記載の通信インターフェース回路。
【請求項３】
送信部との機器間通信をＨＤＭＩのＤＤＣ信号線を用いたシリアル通信で実現することを特徴とする請求項１又は２に記載の通信インターフェース回路。
【請求項４】
送信部との機器間通信の代わりに、送信部からのモード識別信号によって行うことを特徴とする請求項１又は２に記載の通信インターフェース回路。
【請求項５】
ＨＤＭＩ接続を用いてＨＤＭＩ規格とＳＤＩ規格の信号を受信することを特徴とする請求項２乃至４の何れか一項に記載の通信インターフェース回路。
【請求項６】
更に、ＤｉｓｐｌａｙＰｏｒｔ規格の信号を受信することを特徴とする請求項５に記載の通信インターフェース回路。
【請求項７】
１つの電源線と１つ以上の映像伝送線と１つ以上の通信線からなり、
通常入力側に電源出力を持たない通信インターフェースに関し、
受信部は、電源線の電圧検出部と、
電源線に対し出力を切替えて給電可能であり、送信部より電源線に給電がない場合、低電圧給電を行う給電部と、
送信部との機器間通信により通信インターフェース規格と給電要求を検出する接続識別部と、
通信線の接続を切替える信号切替部と、
ユーザ回路書換え可能なＦＰＧＡ（Ｆｉｅｌｄ−Ｐｒｏｇｒａｍｍａｂｌｅ  Ｇａｔｅ  Ａｒｒａｙ）と、
を有する通信インターフェース回路の制御方法であって、
電源線が所定の電圧でない場合、送信部と機器間通信を行ない通信インターフェース規格と給電要求を検出し、要求に応じて給電部の出力を切替え、
通信インターフェース規格に合わせ、ＦＰＧＡのリコンフィグレーションを行い、所定のインターフェース通信が可能な回路に変更することを特長とする通信インターフェース回路の制御方法。
【発明の詳細な説明】
【技術分野】
【０００１】
本発明は、１つのコネクタを第１の通信インターフェース規格に従う通信と第２の通信インターフェース規格に従う通信とに使用することができる通信インターフェース回路及び制御方法に関する。
【背景技術】
【０００２】
従来、１つのコネクタを第１の通信インターフェース規格に従う通信と第２の通信インターフェース規格に従う通信とに使用するものとしては、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）接続において、その内の第１及び第２の信号線を用いて、第１もしくは第２の通信インターフェース規格のいずれか一方で通信を可能にし、通信切替えを第３の信号線を用いＣＥＣ（Ｃｏｎｓｕｍｅｒ  Ｅｌｅｃｔｒｏｎｉｃｓ  Ｃｏｎｔｒｏｌ）に準拠したコマンド或いはデジタル信号で実行するものがあった（特許文献１）。
【先行技術文献】
【特許文献】
【０００３】
【特許文献１】特開２００９−２９４７９７号公報
【発明の概要】
【発明が解決しようとする課題】
【０００４】
しかしながら、上記の特許文献１に開示された従来技術では、送信部／受信部双方が動作状態にあり、通信切替えのコマンド或いはデジタル制御に対応する必要があった。また、送信部／受信部双方は第１及び第２の通信インターフェース規格に対応したインターフェース回路を各々有し、セレクタ部で通信経路を切り替えていた。
【０００５】
そこで、本発明は、送信部を起動することなく、受信部側よりＨＤＭＩコネクタを介した給電により送信部の少なくとも通信インターフェースの識別に必要な回路を動作させ、ＨＤＭＩの＋５Ｖ電源の電圧検出と送信部との機器間通信によって通信インターフェース規格を識別し、通信インターフェース規格に合わせて受信部のインターフェース受信回路を変更することで、ＨＤＭＩ接続を用いてＨＤＭＩ規格及び他の通信インターフェース規格の信号を切替えて受信することができる通信インターフェース回路及びその制御方法を提供することを目的とする。
【課題を解決するための手段】
【０００６】
上記の目的を達成するために、本発明に係る通信インターフェース回路は、
１つの電源線と１つ以上の映像伝送線と１つ以上の通信線からなり、通常入力側に電源出力を持たない通信インターフェースに関し、受信部は、電源線の電圧検出部と、電源線に対し出力を切替えて給電可能な給電部と、送信部との機器間通信により通信インターフェース規格と給電要求を検出する接続識別部と、通信線の接続を切替える信号切替部と、ユーザ回路書換え可能なＦＰＧＡ（Ｆｉｅｌｄ−Ｐｒｏｇｒａｍｍａｂｌｅ  Ｇａｔｅ  Ａｒｒａｙ）とを有し、少なくとも送信部より電源線に給電がない場合は、給電部は低電圧給電を行なう。電源線が所定の電圧でない場合、送信部と機器間通信を行ない通信インターフェース規格と給電要求を検出し、要求に応じて給電部の出力を切替える。通信インターフェース規格に合わせ、ＦＰＧＡのリコンフィグレーションを行い、所定のインターフェース通信が可能な回路に変更することを特徴とする。
【発明の効果】
【０００７】
本発明に係る通信インターフェース回路によれば、受信部側よりＨＤＭＩコネクタを介した給電により送信部の少なくとも通信インターフェースの識別に必要な回路を動作させ、ＨＤＭＩの＋５Ｖ電源の電圧検出と送信部との機器間通信によって通信インターフェース規格を識別し、通信インターフェース規格に合わせて受信部のインターフェース受信回路を変更することで、ＨＤＭＩ接続を用いてＨＤＭＩ規格及び他の通信インターフェース規格の信号を受信することができる。
【図面の簡単な説明】
【０００８】
【図１】本発明の実施例１に関わる受信装置１００の概略構成を示すブロック図である。
【図２】本発明の実施例１に関わる受信装置１００と送信部２０１の概略接続構成を示すブロック図である。
【図３】本発明の実施例１に関わる受信部制御について説明するためのフローチャートである。
【図４】本発明の実施例１に関わる受信装置１００にＨＤＭＩ接続した際の概略接続構成を示すブロック図である。
【図５】本発明の実施例１に関わるＨＤＭＩコネクタのピンアサインをまとめた表である。
【図６】本発明の実施例２に関わる受信装置６００と送信部６１１の概略接続構成を示すブロック図である。
【図７】本発明の実施例２に関わる受信部制御について説明するためのフローチャートである。
【図８】本発明の実施例２に関わる受信装置６００にＨＤＭＩ接続した際の概略接続構成を示すブロック図その１である。
【図９】本発明の実施例２に関わるＨＤＭＩコネクタのピンアサインをまとめた表である。
【図１０】本発明の実施例２に関わる受信装置１０００と送信部１０１１の概略接続構成を示すブロック図その２である。
【図１１】本発明の実施例３に関わる受信装置１１００と送信部１１１１の概略接続構成を示すブロック図である。
【図１２】本発明の実施例３に関わる受信部制御について説明するためのフローチャートである。
【図１３】本発明の実施例３に関わるＨＤＭＩコネクタのピンアサインをまとめた表である。
【発明を実施するための形態】
【０００９】
以下、本発明を実施するための形態について、図面を参照しながら説明する。
【実施例１】
【００１０】
本発明の第１の実施例における通信インターフェース回路及びその制御方法について図１及び図２を用いて説明する。
【００１１】
図１はＨＤＭＩ接続がなく、入力待機の状態を示した受信装置１００の概略構成を示すブロック図である。図２はＨＤＭＩ接続を介してＳＤＩ（Ｓｅｒｉａｌ  Ｄｉｇｉｔａｌ  Ｉｎｔｅｒｆａｃｅ）伝送を行う送信部２０１を受信装置１００に接続した構成を示すブロック図である。
【００１２】
受信装置１００は、通信インターフェースの受信部１０１、ＣＰＵ１０９、映像音声処理部１１０と映像表示部１１１及び音声出力部１１２から構成される。受信部１０１は、ＨＤＭＩ入力コネクタ１０２、給電部１０３、シリアル信号切替部１０４、接続識別部１０５、ＦＰＧＡ１０６、コンフィグレーションＲＯＭ１０７及びＥＤＩＤ（Ｅｘｔｅｎｄｅｄ  Ｄｉｓｐｌａｙ  Ｉｄｅｎｔｉｆｉｃａｔｉｏｎ  Ｄａｔａ）  ＲＯＭ１０８によって構成される。
【００１３】
ＣＰＵ１０９は、受信部１０１、映像音声制御部１１０、映像表示部１１１及び音声出力部１１２の動作制御を担う。映像音声処理部１１０は、受信部１０１で受信した映像及び音声信号の入力を受け、映像表示部１１１で映像再生、音声出力部１１２で音声再生するのに必要な信号変換処理を行う。映像表示部１１１は、映像音声処理部１１０からの映像信号を受け映像再生を行う。音声出力部１１２は、映像音声処理部１１０からの音声信号を受け音声再生する。例えば、映像表示部１１１は液晶ディスプレイであり、音声出力部１１２はスピーカーである。
【００１４】
受信部１０１を構成するＨＤＭＩ入力コネクタ１０２は、通信インターフェース接続を行うための入力コネクタである。給電部１０３は、通信インターフェースの電源線に対し低電圧給電し、より高い電圧の５Ｖ電源で給電することもできる。また、ＨＤＭＩ入力コネクタ１０２とＦＰＧＡ１０６の間に切替えスイッチを設け、ＨＤＭＩコネクタ１０２とＦＰＧＡ１０６の間をオープン状態とするか接続状態とするか、５Ｖ電源と接続するか切替えることができる。シリアル信号切替部１０４は、通信線を接続識別部１０５と接続するか、ＦＰＧＡ１０６と接続するか切替えを行う。給電部１０３のスイッチとシリアル信号切替部１０４の切替え制御は、接続識別部１０５が担う。
【００１５】
接続識別部１０５は、電源線の電圧をモニタする。通信線の状態をモニタし、送信部２０１とシリアル通信を行う。そして、電源線の電圧と送信部２０１とシリアル通信によって通信インターフェース規格を識別し、ＣＰＵ１０９に通知する。また、電源線の電圧状態やＣＰＵ１０９からの制御を受けて、給電部１０３のスイッチとシリアル信号切替部１０４を切替える。ＦＰＧＡ１０６は、通信インターフェースのレシーバ機能を担う。受信した信号から映像データ、音声データ及びその他の通知データに分け、映像データ及び音声データを映像音声処理部１１０に出力する。その他の通知データについてはＣＰＵ１０９に通知される。通知データの例としてはタイムコードや映像・音声フォーマット情報である。
【００１６】
コンフィグレーションＲＯＭ１０７は、ＦＰＧＡ１０６の内部回路情報が書き込まれた不揮発性メモリである。対応する通信インターフェース規格毎にバンクを分けて内部回路情報が記憶されている。ＦＰＧＡ１０６がコンフィグレーションする際は、ＣＰＵ１０９から内部回路情報を読み込むバンクの指定を受ける。ＥＤＩＤ  ＲＯＭ１０８は、ＨＤＭＩ規格に基づき機器固有の識別データが書き込まれた不揮発性メモリである。
【００１７】
送信部２０１は、ＳＤＩ入力を通信データはそのままで差動信号に変換し、ＨＤＭＩの映像伝送線であるＴＭＤＳの信号ラインを用いて出力する。ＳＤＩ入力コネクタ２０２、イコライザ／リクロッカ２０３、ＤＣ／ＤＣコンバータ２０４、ＥＥＰＲＯＭ２０５及びＨＤＭＩ出力コネクタ２０６によって構成される。
【００１８】
ＳＤＩ入力コネクタ２０２は、ＳＤＩケーブルを接続するＢＮＣコネクタある。イコライザ／リクロッカ２０３は入力されるＳＤＩ信号に対し、イコライジングとリクロッキングによって安定した信号に補正し、差動信号で出力する。ＤＣ／ＤＣコンバータ２０４はＨＤＭＩ出力コネクタ２０６の電源線より給電される電源を昇圧もしくは降圧して、送信部２０１の内部動作に必要な所定の電源を出力する。ＥＥＰＲＯＭ２０５は、送信部２０１の機器情報、給電要求及び通信インターフェース規格の情報を記憶している。ＨＤＭＩ出力コネクタ２０６は、通信インターフェース接続を行うための出力コネクタである。
【００１９】
続いて、図３のフローチャートを用いて受信部１０１の制御について説明を行う。
【００２０】
本実施例では、受信装置１００が対応する通信インターフェース規格はＨＤＭＩとＳＤＩの２種類の規格である。
【００２１】
ステップＳ３０１では、受信機器１０１が電源オンすることで給電部１０３の低電圧給電が有効になる。ＨＤＭＩ接続時には外部出力機器より電源線に５Ｖの給電を受けるので、低電圧値はこれよりも低い電圧とする。ＥＤＩＤ  ＲＯＭ１０８を動作させたくないのであれば、ＥＤＩＤ  ＲＯＭ１０８の動作電圧以下にする。本実施例では２．５Ｖとして説明する。ステップＳ３０１の時、送信部２０１はＤＣ／ＤＣコンバータ２０４によって２．５Ｖから昇圧して３．３Ｖ電源を出力し、通信インターフェースの識別に必要なＥＥＰＲＯＭ２０５だけを動作させる。通信線が３．３Ｖにプルアップされる。イコライザ／リクロッカ２０３へはまだ給電しないので、イコライザ／リクロッカ２０３からＳＤＩ差動信号が出力されない。
【００２２】
ステップＳ３０２では、電源オン時、ＦＰＧＡ１０６を初期設定にあたるＨＤＭＩモードでコンフィグレーションする。接続識別部１０５は、給電部１０３のスイッチをオープンにし、シリアル信号切替部１０４を接続識別部１０５との接続に切替える。これにより、ＦＰＧＡ１０６はＨＤＭＩ入力が受けられる状態になる。ただし、給電部１０３のスイッチをオープンにしていることでＨＤＭＩ接続の検出をＦＰＧＡ１０６ではできない。接続識別部１０５では電源線の電圧をモニタできる。
【００２３】
ステップＳ３０３では、接続識別部１０５が電源線の電圧をモニタし、低電圧の状態か、ＨＤＭＩ接続されたと判定する５Ｖであるか識別する。低電圧の場合ステップＳ３０４に進み、５Ｖである場合はＨＤＭＩ接続されたと判定し、ステップＳ３１３に進む。
【００２４】
ステップＳ３０４では、接続識別部１０５がシリアル通信可能な状態か検出する。例えば、Ｉ２Ｃ（Ｉｎｔｅｒ−Ｉｎｔｅｇｒａｔｅｄ  Ｃｉｒｃｕｉｔ）通信を用いる場合、ＳＣＬ／ＳＤＡ信号線が、３．３Ｖにプルアップされるか否かで検出する。送信部２０１が接続された場合、通信線が３．３Ｖにプルアップされることになる。シリアル通信可能な場合はステップＳ３０５に進み、機器間通信可能な状態でない場合、ステップＳ３０３に戻る。
【００２５】
ステップＳ３０５では、接続識別部１０５がシリアル通信を用いて送信部２０１のＥＥＰＲＯＭ２０５にアクセスして、送信部２０１の機器情報、給電要求及び通信インターフェース規格の情報を取得する。通信インターフェース規格の情報がＳＤＩの場合はステップＳ３０６に進み、それ以外の情報取得できない場合や受信装置１００が対応していない通信インターフェース規格の場合はステップＳ３０３に戻る。なお、接続識別部１０５が取得した通信インターフェース規格の情報はＣＰＵ１０９に通知される。
【００２６】
ステップＳ３０６では、ステップＳ３０５で取得した給電要求の情報から、５Ｖ給電を有効にするか否か判定を行う。給電要求がある場合ステップＳ３０７に進み、給電部１０３のスイッチを５Ｖ電源との接続に切替え、５Ｖ給電を有効にする。給電要求がない場合は給電部１０３のスイッチをオープンの状態を維持する。そしてステップＳ３０８に進む。本実施例の出力部２０１は、低電圧給電ではイコライザ／リクロッカ２０３を動作させるには電力が不足するため、給電要求：有とする構成である。５Ｖ給電に切り替わると、ＤＣ／ＤＣコンバータ２０４はイコライザ／リクロッカ２０３の動作電源の出力を有効にする。これにより送信部２０１全てが動作状態になる。ただしこの時点では、イコライザ／リクロッカ２０３はＲＥＳＥＴ状態にあるため、ＳＤＩ差動信号は出力されない。
【００２７】
ステップＳ３０８では、ＣＰＵ１０９は接続識別部１０５から通信インターフェース規格がＳＤＩである通知を受け、コンフィグレーションＲＯＭ１０７のバンクを切り替えて、ＦＰＧＡ１０６をリコンフィグレーションする。これによりＦＰＧＡ１０９はＳＤＩモードで動作し、ＳＤＩ差動入力が受信できる状態になる。なおＳＤＩモードでは、ＨＤＭＩモードの時ではＨＰＤで使用している信号線をＲＥＳＥＴ信号として使用する。
【００２８】
そしてステップＳ３０９ではＲＥＳＥＴ信号をＨｉｇｈにしてＲＥＳＥＴを解除し、ステップＳ３１０に進む。ＲＥＳＥＴ解除すると、接続識別部１０５はシリアル通信を用いてイコライザ／リクロッカ２０３とも機器間通信が可能になる。通信アドレスはステップＳ３０５で取得した機器情報から取得可能で、イコライザ／リクロッカ２０３の設定やＳＤＩ入力のフォーマット検出などが、受信部１０１から行うことが可能になる。
【００２９】
ステップＳ３１０では、接続識別部１０５でシリアル通信が有効な状態か確認する。シリアル通信が無効となる場合、ＨＤＭＩコネクタ接続が途絶えたと判定し、接続識別部１０５からＣＰＵ１０９に未接続通知を行い、ステップＳ３１１に進む。
【００３０】
ステップＳ３１１では、給電部１０３のスイッチを切替え５Ｖ給電に有効にしていた場合、スイッチをオープンに切替えステップＳ３１２に進む。
【００３１】
ステップＳ３１２では、ＣＰＵ１０９は接続識別部１０５から未接続通知を受け、コンフィグレーションＲＯＭ１０７のバンクを初期設定に切り替えて、ＦＰＧＡ１０６をＨＤＭＩモードでリコンフィグレーションする。これによりステップＳ３０２同様に入力待機の状態になる。そしてステップＳ３０３に戻る。ステップＳ３０４でＨＤＭＩ接続と判定された場合の接続構成を、図４のブロック図に示す。受信部１０１に一般的なＨＤＭＩ出力機器がつながれた状態にあたる。
【００３２】
ステップＳ３０４でＨＤＭＩ接続と判定した結果を受けて、ステップＳ３１３では、接続識別部１０５がシリアル信号切替部１０４をＦＰＧＡ１０６との接続に切替える。
【００３３】
そしてステップＳ３１４で、給電部１０３のスイッチを切替えてＨＤＭＩコネクタ１０２とＦＰＧＡ１０６の間を接続状態にする。これにより、ＦＰＧＡ１０９がＨＤＭＩレシーバとして機能し、ＨＤＭＩ信号が受信できるようになる。また、通信インターフェース規格がＨＤＭＩであることが、接続識別部１０５からＣＰＵ１０９に通知される。そしてステップＳ３１５に進む。
【００３４】
ステップＳ３１５では、接続識別部１０５で電源線の電圧が５Ｖのままか確認する。５Ｖでない場合、ＨＤＭＩ接続が途絶えたと判定し、接続識別部１０５からＣＰＵ１０９に未接続通知を行い、ステップＳ３１２に進む。
【００３５】
図５に、第１の実施例におけるＨＤＭＩモード及びＳＤＩモードで動作する時のＨＤＭＩ入力コネクタ１０２のピンアサインをまとめて示す。
【００３６】
第１の実施例では、送信部との機器間通信をＨＤＭＩのＤＤＣ通信線を用いたシリアル通信で実現しているが、これに限定するものではない。受信部側からの給電により送信部の通信インターフェースの識別に必要な回路を動作させ、通信インターフェース規格の情報が取得可能であれば、ＣＥＣ通信やＥｔｈｅｒｎｅｔ通信などの他の通信手段を用いても構わない。
【００３７】
以上、この第１の実施例によれば、受信部１０１よりＨＤＭＩ入力コネクタ１０２を介した給電により、送信部２０１の少なくとも通信インターフェースの識別に必要なＥＥＰＲＯＭ２０５を動作させ、電源線の電圧検出とシリアル通信によって通信インターフェース規格を識別し、通信インターフェース規格に合わせて受信部１０１の受信回路を変更することで、ＨＤＭＩ接続を用いてＨＤＭＩ規格とＳＤＩ規格の信号を受信することが可能となる。
【実施例２】
【００３８】
以下、本発明の第２の実施例における通信インターフェース回路及びその制御方法について図６を用いて説明する。
【００３９】
第１の実施例では、電源線の電圧と送信部２０１とシリアル通信によって通信インターフェース規格を識別していた。これに対し第２の実施例ではシリアル通信を用いずモード識別信号を用いて、通信インターフェース規格を識別する方法である。
【００４０】
図６で示す受信装置６００の受信部６０１には、第１の実施例のようなシリアル通信経路を切替えるシリアル信号切替部１０４はない。モード識別信号の信号線には、ＨＤＭＩのＣＥＣ及びＵｔｉｌｉｔｙをＭｏｄｅ［０］及びＭｏｄｅ［１］として兼用する。信号切替部６０２にて接続識別部６０３と接続するか、ＦＰＧＡ１０６と接続するか切替えを行う。信号切替部６０２の切替え制御は接続識別部６０３が担う。接続識別部６０３はＭｏｄｅ［０］及びＭｏｄｅ［１］の電圧をモニタする。また、第１の実施例では送信部２０１とのシリアル通信は接続識別部１０５が担っていたが、第２の実施例ではＦＰＧＡ１０６が担う。
【００４１】
送信部６１１はモード通知部６１２を有し、受信部６０１から給電される電源でプルアップ、抵抗分圧ないしはＧＮＤショートによって、Ｍｏｄｅ［０］及びＭｏｄｅ［１］の電圧を決定し、通信インターフェース規格を受信部６０１に通知する。本実施例では、Ｍｏｄｅ［０］をショートし０Ｖ、Ｍｏｄｅ［１］を３：５に分圧した電圧を出力する。この組み合わせは、通信インターフェース規格がＳＤＩであり、５Ｖ給電が要であることを示す。Ｍｏｄｅ［１］は低電圧給電を受けている間は１．５Ｖ、５Ｖ電源で給電を受けると３Ｖとなる。５Ｖ給電が不要な場合には、Ｍｏｄｅ［１］をプルアップし２．５Ｖとすることで、接続識別部６０３で電圧をモニタすることで識別可能である。
【００４２】
続いて、図７のフローチャートを用いて受信部６０１の制御について、主に第１の実施例との差分を中心に説明する。
【００４３】
ステップＳ７０１での受信部６０１の動作は、第１の実施例における図３のステップＳ３０１と同様である。送信部６１１に関しては、ＤＣ／ＤＣコンバータ２０４は動作せず、ＥＥＰＲＯＭ２０５含め、モード通知部６１２以外の回路は動作していない状態となる。
【００４４】
ステップＳ７０２では、ＦＰＧＡ１０６を初期設定にあたるＨＤＭＩモードでコンフィグレーションする。接続識別部６０３は、給電部１０３のスイッチをオープンにし、信号切替部６０２を接続識別部６０３との接続に切替える。その他はステップＳ３０２と同様である。
【００４５】
ステップＳ７０３はステップＳ３０３と同様である。
【００４６】
ステップＳ７０４では、接続識別部６０３でＭｏｄｅ［０］及びＭｏｄｅ［１］の電圧をモニタすることで、接続モードを確認する。電圧値から、通信インターフェース規格及び給電要求の有無を識別する。図６の接続構成の場合では、Ｍｏｄｅ［０］＝０Ｖ、Ｍｏｄｅ［１］＝１．５Ｖで、通信インターフェース規格：ＳＤＩ、給電要求：有と識別することになる。
【００４７】
ステップＳ７０５〜Ｓ７１１の処理はステップＳ３０５〜Ｓ３１１と同様であるが、ＤＣ／ＤＣコンバータ２０４は５Ｖ給電を受けてオンし、ＥＥＰＲＯＭ２０５及びイコライザ／リクロッカ２０３が動作する。また、Ｓ７０９でＲＥＳＥＴ解除後、ＦＰＧＡ１０６がＥＥＰＲＯＭ２０５とシリアル通信を行い、送信部６１１の機器情報を取得する点で異なる。ステップＳ７０３でＨＤＭＩ接続と判定された場合の接続構成を図８に示す。
【００４８】
ステップＳ７１３では、信号切替部６０２の接続を接続識別部６０３からＦＰＧＡ１０６との接続に切替える。
【００４９】
そして、ステップＳ７１４で給電部１０３のスイッチを切替えてＨＤＭＩコネクタ１０２とＦＰＧＡ１０６の間をショートする。これにより、ＦＰＧＡ１０９がＨＤＭＩレシーバとして機能し、ＨＤＭＩ信号が受信できるようになる。また、通信インターフェース規格がＨＤＭＩであることが、接続識別部６０３からＣＰＵ１０９に通知される。そしてステップＳ７１５に進むが、ここでの処理はステップＳ３１５と同様である。
【００５０】
図９に、第２の実施例におけるＨＤＭＩモード及びＳＤＩモードで動作する時のＨＤＭＩ入力コネクタ１０２のピンアサインをまとめて示す。なお図１０で示すように、送信部１０１１のイコライザ／リクロッカ１０１２の制御を送信部１００１から行う必要がなく、通信インターフェース規格及び５Ｖ給電の有無が識別できればよい場合は、シリアル通信の接続を行わない接続構成とすることも考えられる。
【００５１】
以上、この第２の実施例によれば、受信部６０１よりＨＤＭＩ入力コネクタ１０２を介した給電により、送信部６１１のモード通知部６１２はＭｏｄｅ［０］及びＭｏｄｅ［１］信号を出力し、受信部６０１では電源線の電圧検出と、Ｍｏｄｅ［０］及びＭｏｄｅ［１］の電圧モニタによって、通信インターフェース規格を識別し、通信インターフェース規格に合わせて受信部６０１の受信回路を変更することで、ＨＤＭＩ接続を用いてＨＤＭＩ規格とＳＤＩ規格の信号を受信することが可能となる。
【実施例３】
【００５２】
以下、本発明の第３の実施例における通信インターフェース回路及びその制御方法について図１１を用いて説明する。第３の実施例は第１の実施例に対しＤｉｓｐｌａｙＰｏｒｔの通信インターフェース規格にも対応する場合の実施例である。
【００５３】
図１１で示す通り受信装置１１００、受信部１１０１の構成は第１の実施例の受信装置１００、受信部１０１と同様である。送信部１１１１はＤＰ（ＤｉｓｐｌａｙＰｏｒｔ）入力コネクタ１１１２及びＨＤＭＩ出力コネクタ１１１３を有し、ＤｉｓｐｌａｙＰｏｒｔ−ＨＤＭＩ接続変換を行うものである。
【００５４】
続いて、図１２のフローチャートを用いて受信部１１０１の制御について、主に第１の実施例との差分を中心に説明を行う。
【００５５】
ステップＳ１２０１及びステップＳ１２０２の処理は、図３におけるステップＳ３０１とステップＳ３０２と同様である。また、ステップＳ１２０５〜ステップＳ１２１６の処理はステップＳ３０４〜ステップＳ３１５と同様である。違いは、ステップＳ１２０３で電源線の電圧が５Ｖか否か判定し、５Ｖの場合は通信インターフェース規格がＨＤＭＩであると識別してステップＳ１２１４に進み、５Ｖでない場合ステップＳ１２０４に進む。
【００５６】
続いて、ステップＳ１２０４では、電源線の電圧が３．３Ｖか否か判定し、３．３Ｖの場合は通信インターフェース規格がＤｉｓｐｌａｙＰｏｒｔであると識別してステップＳ１２１７に進み、低電圧の場合はステップＳ１２０５に進むところである。
【００５７】
ステップＳ１２１７では、ＣＰＵ１０９は接続識別部１０５から通信インターフェース規格がＤｉｓｐｌａｙＰｏｒｔである通知を受け、コンフィグレーションＲＯＭ１０７のバンクを切り替えて、ＦＰＧＡ１０６をリコンフィグレーションする。それによりＦＰＧＡ１０９はＤＰモードで動作する。
【００５８】
ステップ１２１８では、接続識別部１０５がシリアル信号切替部１０４をＦＰＧＡ１０６との接続に切替える。
【００５９】
そして、ステップＳ１２１９で給電部１０３のスイッチを切替えてＨＤＭＩコネクタ１０２とＦＰＧＡ１０６の間を接続状態にする。これにより、ＦＰＧＡ１０９がＤＰレシーバとして機能し、ＤｉｓｐｌａｙＰｏｒｔ信号が受信できるようになる。そして、ステップ１２２０に進む。
【００６０】
ステップＳ１２２０では、接続識別部１０５で電源線の電圧が３．３Ｖのままか確認する。３．３Ｖでない場合、ＤｉｓｐｌａｙＰｏｒｔ接続が途絶えたと判定し、接続識別部１０５からＣＰＵ１０９に未接続通知を行い、ステップＳ１２１３に進む。
【００６１】
図１３に、第３の実施例におけるＨＤＭＩモード、ＳＤＩモード及びＤＰモードで動作する時のＨＤＭＩ入力コネクタ１０２のピンアサインをまとめて示す。
【００６２】
以上、この第３の実施例によれば、第１の実施例に加えて、電源線の電圧検出によって、ＨＤＭＩ規格の接続であるかＤｉｓｐｌａｙＰｏｒｔ規格の接続であるかを識別し、通信インターフェース規格に合わせて受信部１１０１の受信回路を変更することで、ＨＤＭＩ接続を用いてＨＤＭＩ規格、ＳＤＩ規格さらにはＤｉｓｐｌａｙＰｏｒｔ規格の信号を受信することが可能となる。
【符号の説明】
【００６３】
１００  受信装置、１０１  受信部、１０２  ＨＤＭＩ入力コネクタ、
１０３  給電部、１０４  シリアル信号切替部、１０５  接続識別部、
１０６  ＦＰＧＡ、１０７  コンフィグレーションＲＯＭ、
１０８  ＥＤＩＤ  ＲＯＭ、１０９  ＣＰＵ、１１０  映像音声処理部、
１１１  映像表示部、１１２  映像音声処理部、２０１  送信部、
２０２  ＳＤＩ入力コネクタ、２０３  イコライザ／リクロッカ、
２０４  ＤＣ／ＤＣコンバータ、２０５  ＥＥＰＲＯＭ、
２０６  ＨＤＭＩ出力コネクタ、６００  受信装置、６０１  受信部、
６０２  信号切替部、６０３  接続識別部、６１１  送信部、
６１２  モード通知部、１０００  受信装置、１００１  受信部、
１１０１  送信部、１０１２  イコライザ／リクロッカ、
１１００  受信装置、１１０１  受信部、１１１１  送信部、
１１１２  ＤＰ入力コネクタ、１１１３  ＨＤＭＩ出力コネクタ
【図１】
2020106876.tif 000003
【図２】
2020106876.tif 000004
【図３】
2020106876.tif 000005
【図４】
2020106876.tif 000006
【図５】
2020106876.tif 000007
【図６】
2020106876.tif 000008
【図７】
2020106876.tif 000009
【図８】
2020106876.tif 000010
【図９】
2020106876.tif 000011
【図１０】
2020106876.tif 000012
【図１１】
2020106876.tif 000013
【図１２】
2020106876.tif 000014
【図１３】
2020106876.tif 000015